(57)【要約】【課題】釣竿の太さ（直径）に関わらず、釣竿が左右にがたつくことが無い釣竿固定装置を提供する。【解決手段】本考案の釣竿固定装置は、釣竿５を受ける竿受け部３と、釣竿５の基端部を挟持する竿挟持部２０と、船体に固定される基体部とから構成される釣竿固定装置において、（１）竿受け部３の先端部には、略Ｖ字状の切れ部３５が凹設され、（２）切れ部と近接する釣竿の部位には、竿取付嵌合部１０が設けられ、（３）竿取付嵌合部１０には、下方に突出する略Ｖ字状ないし略Ｕ字状の突出部２９が凸設された構成を備える。本釣竿固定装置によれば、上記（１）の竿受け部３の略Ｖ字状の切れ部３５に、上記（２）と（３）の竿取付嵌合部１０の突出部２９を嵌挿させることにより、釣竿５を左右に拘止する。【選択図】図１
0003156136.tif 000002
【実用新案登録請求の範囲】
【請求項１】
釣竿を受ける竿受け部と、釣竿の基端部を挟持する竿挟持部と、船体に固定される基体部とから構成される釣竿固定装置において、
前記竿受け部の上端部には、略Ｖ字状の切れ部が凹設され、
前記切れ部と近接する釣竿の部位には、竿取付嵌合部が設けられ、
前記竿取付嵌合部には、下方に突出する略Ｖ字状ないし略Ｕ字状の突出部が凸設され、
前記竿受け部の切れ部に、前記竿取付嵌合部の突出部を嵌挿させることにより、釣竿を左右に拘止し得ることを特徴とする釣竿固定装置。
【請求項２】
前記竿取付嵌合部は、釣竿の上下から挟持する上部の嵌合部材固定具と下部の嵌合部材から成り、該嵌合部材に前記突出部が下方に凸設されていることを特徴とする請求項１に記載の釣竿固定装置。
【請求項３】
前記竿受け部は、方形平板と、該平板に垂直に形成された左右両辺から成り、該方形平板の上辺に前記切れ部が設けられ、該方形平板の下辺が前記基体部に当接され、該左右両辺の下端は前記基体部の側面に延びてピンにより挿着されたことを特徴とする請求項１又は２に記載の釣竿固定装置。
【請求項４】
前記基体部は、基体部材と継ぎ手部材とクランプ部材とから成り、各々がピンにより挿着され、前記基体部材と継ぎ手部材は方形平板と該平板に垂直に形成された左右両辺で形成され、前記継ぎ手部材の左右両辺には所定間隔をおいて複数のピン孔が設けられていることを特徴とする請求項１〜３のいずれかに記載の釣竿固定装置。
【考案の詳細な説明】
【技術分野】
【０００１】
本考案は、船縁等に取り付けて釣竿を固定する釣竿固定装置に関するものである。
【背景技術】
【０００２】
従来から、船釣り等で使用される釣り竿保持具には、船縁等の被取り付け部位への取り付け手段を設けた基体部に、釣竿を受ける竿受け部と、釣竿を挟持する竿挟持部とを前後に適当なスパンを開けて設けたものが知られている（例えば、特許文献１や特許文献２を参照）。
【０００３】
しかしながら、従来の釣り竿保持具の場合、釣竿を挟持する竿挟持部ではしっかりと釣竿を固定するが、釣竿を受ける竿受け部は、釣竿を自由に吊り上げることができるようにすべく、上方に釣竿を容易に持ち上げ可能なように単に釣竿を載置できるＵ字状の形状を呈している。このため、釣竿の径が竿受け部のＵ字状の曲面の曲率半径と大きく相違する場合、例えば、Ｕ字状の曲率半径と比較して、釣竿の径が極端に大きい（太い）場合や小さい（細い）場合に、釣竿が竿受け部で不安定な状態となる。
【０００４】
このような状態で、大きい魚等を吊り上げる時、魚の引く力が強いために、釣竿が左右にがたつく事態が生じる。特に、魚を引き寄せる際、すなわち、釣竿のリールを巻きつける際に左右にがたつく事態が顕著となる。このようながたつきが生じると、釣竿を損傷したり、魚を取り逃がしたりする原因となり好ましくない。
【０００５】
そのため、釣竿の太さ（径）によって釣竿の安定性が変動することの無い釣り竿保持具が求められていた。
【先行技術文献】
【特許文献】
【０００６】
【特許文献１】実公平６−３１９０５号公報
【特許文献２】実用新案登録第３０９４６８２号公報
【考案の概要】
【考案が解決しようとする課題】
【０００７】
上述したように、従来の釣り竿保持具の竿受け部の場合、釣竿が細い場合はがたつき、釣竿が太い場合は竿受け部に嵌め込み難くなるといった問題がある。
上記状況に鑑みて、本考案は、釣竿の太さ（直径）に関わらず、釣竿が左右にがたつくことが無い釣竿固定装置を提供することを目的とする。
【課題を解決するための手段】
【０００８】
上記目的を達成すべく、本考案の釣竿固定装置は、釣竿を受ける竿受け部と、釣竿の基端部を挟持する竿挟持部と、船体に固定される基体部とから構成される釣竿固定装置において、
（１）竿受け部の上端部には、略Ｖ字状の切れ部が凹設され、
（２）切れ部と近接する釣竿の部位には、竿取付嵌合部が設けられ、
（３）竿取付嵌合部には、下方に突出する略Ｖ字状ないし略Ｕ字状の突出部が凸設された構成を備え、上記（１）の竿受け部の切れ部に、上記（２）と（３）の竿取付嵌合部の突出部を嵌挿させることにより、釣竿を左右に拘止し得るものである。
【０００９】
従来の釣り竿保持具の竿受け部は、釣竿自体と当接することにより、釣竿を支えるために、釣竿の太さ（径）によっては、がたつきが生じていた。このような従来の釣り竿保持具の竿受け部に対して、本考案の釣竿固定装置によれば、釣竿自体と当接するのではなく、釣竿に取り付けた部材（竿取付嵌合部）と当接し、また、竿取付嵌合部が竿受け部に設けた略Ｖ字状の切れ部に嵌合することにより、釣竿を左右にがたつかないようにしっかりと固定できるのである。
本考案の釣竿固定装置を使用することにより、釣竿の太さ（直径）に関わらず、竿受け部において釣竿が左右にがたつく事態を回避することができることになる。
【００１０】
すなわち、竿受け部の先端部には略Ｖ字状の切れ部が凹設され、竿取付嵌合部には下方に突出する略Ｖ字状ないし略Ｕ字状の突出部が凸設されることで、凹設されたテーパー状の切れ部の側辺と、下方に凸設されたテーパー状の突出部とが、しっかりと嵌合して、竿取付嵌合部が取り付けられた釣竿を左右に拘止できる。
【００１１】
ここで、上記の竿取付嵌合部は、釣竿の上下から挟持する上部の嵌合部材固定具と下部の嵌合部材から成り、該嵌合部材に上述の突出部が下方に凸設されていることが好ましい。
これは、釣竿の上下から挟持する上部の嵌合部材固定具と下部の嵌合部材で、竿取付嵌合部が構成されることにより、釣竿に容易に脱着させることが可能になるからである。
ここで、上部の嵌合部材固定具と下部の嵌合部材の２箇所をボルトとナットを用いて結合させてもよく、また、１箇所は蝶番で１箇所をボルトとナットで結合させてもかまわない。また、ネジで螺着させてもよい。
【００１２】
また、上記の竿受け部は、具体的には、方形平板と、該平板に垂直に形成された左右両辺から成り、該方形平板の上辺には上述した切れ部が設けられ、該方形平板の下辺が基体部に当接され、該左右両辺の下端は基体部の側面に延びてピンにより挿着された態様が好ましい。
かかる態様の竿受け部によれば、本考案の釣竿固定装置の基体部と並行に重ねることで、不使用時や運搬時にコンパクトに収納することができる。
船縁に設置し使用する際は、竿受け部の左右両辺の下端が基体部の側面に延びてピンにより挿着される。このため、竿受け部の左右両辺の下端の間隔は、基体部の幅よりも若干大きいものとなる。ピンにより挿着されることで、竿受け部の方形平板は、基体部に対してピンで回動自在に軸支されることになる。
【００１３】
また、竿受け部は、全体形状が方形平板であり、使用時には船縁等に水平に設置される基体部に対して、方形平板が凡そ直立するように、ピンに対して回動させられる。方形平板の下縁が基体部と当接したところが静止位置となる。
【００１４】
また、上記の基体部は、具体的には、基体部材と継ぎ手部材とクランプ部材とから成り、各々がピンにより挿着され、基体部材と継ぎ手部材は方形平板と該平板に垂直に形成された左右両辺で形成され、継ぎ手部材の左右両辺には所定間隔をおいて複数のピン孔が設けられていることが好ましい態様である。
継ぎ手部材の左右両辺には所定間隔をおいて複数のピン孔が設けられていることにより、船縁等の厚みに柔軟に対応することが可能となる。
【考案の効果】
【００１５】
本考案の釣竿固定装置によれば、釣竿の太さ（径）に関係なく、釣竿の左右を充分に固定させ、がたつく状態を回避することによって、釣竿の安定性を高めるといった効果がある。
【図面の簡単な説明】
【００１６】
【図１】釣竿固定装置の全体斜面図
【図２】釣竿嵌合装置の竿取付嵌合部および竿受け部の斜視図
【図３】釣竿嵌合装置の竿取付嵌合部および竿受け部の平面図
【図４】釣竿に取り付けた竿取付嵌合部と竿受け部の嵌合の様子を示す説明図
【図５】釣竿を挟持する竿挟持部の説明図
【図６】基体部の説明図
【図７】竿受け部の切れ部のバリエーションを示す図
【図８】竿取付嵌合部の下部の嵌合部材のバリエーションを示す図
【考案を実施するための最良の形態】
【００１７】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１８】
本考案の釣竿固定装置の一実施例について、図１から図６を参照しながら、以下に詳細に説明する。
図１は、実施例１の釣竿固定装置の全体斜面図を示している。
実施例１の釣竿固定装置は、図１に示すように、釣竿５を受ける竿受け部３と、釣竿５の基端部を挟持する竿挟持部２０と、釣竿５の基端部から所定の間隔を置いて竿に取り付けられた竿取付嵌合部１０と、船体に固定される基体部９とから構成される。
【００１９】
ここで、竿挟持部２０は、釣竿の上方の竿挟持部材固定部６と下方の竿挟持部材７とで構成される。上方の竿挟持部材固定部６と下方の竿挟持部材７とで釣竿５の基端部を挟み込む。また、竿挟持部２０は、船体に固定された基体部９の左右両辺にピン７８によって挿着されている。竿挟持部２０は、釣竿５の基端部を挟持し、ピン７８を軸として回動する。これにより、釣竿５を、ピン７８を回転軸として上下に動かすことができる。
【００２０】
また、竿取付嵌合部１０は、釣竿の上方の嵌合部材固定部１と下方の嵌合部材２とで構成される。上方の嵌合部材固定部１と下方の嵌合部材２とで釣竿５を挟み込む。下方の嵌合部材２には、突起部２９が設けられている。
【００２１】
また、釣竿５を受ける竿受け部３は、船体に固定された基体部９の左右両辺にピン３８によって挿着されている。竿受け部３は、ピン３８を軸として回動することができる。また使用時には、竿受け部３は、基体部９の基体部材９１の平面と直交するように直立する。竿挟持部２０が、釣竿５の基端部を挟持し、ピン７８を軸として回動して、竿受け部３の切れ部３５に、竿取付嵌合部１０の突起部２９を嵌挿させる。後述するように、竿受け部３の切れ部３５が略Ｖ字状に形成されており、これに略Ｖ字状の突起部２９が嵌ることによって、突起部２９はテーパー部分でしっかりと固定されることになる。
これにより、釣竿の太さ（径）に関係なく、釣竿の左右を充分に固定させることができることになる。このように、釣竿５を左右にしっかりと固定することができ、がたつく状態を回避でき、釣竿の安定性を高めることができるのである。
【００２２】
また、図２および図３に示すように、本釣竿嵌合装置の竿受け部３の上端部には、略Ｖ字状の切れ部（３１，３３，３５）が凹設されており、また、竿取付嵌合部１０には、下方に突出する略Ｖ字状の突出部（２５，２７，２９）が凸設されている。
ここで、竿取付嵌合部は、嵌合部材固定部１と嵌合部材２とで構成され、上方の嵌合部材固定部１の挟持面１１と下方の嵌合部材２の挟持面（２１，２３）とで釣竿５を挟み込む。下方の嵌合部材２には、中央部にテーパー面（２５，２７）を有する突起部２９が設けられている。実際に釣竿５を挟持する際には、釣竿の表面の損傷を避けるため、ゴムシートなどが釣竿周囲に巻きつけられる。
また、竿受け部３は長方形の平板の長手方向の左右両辺を直角に屈曲させた形状を呈する。竿受け部３の左右両辺の下端は延設されており（３７ａ，３７ｂ）、後述するように基体部と連結される。竿受け部３の左右両辺の下端には、基体部との連結のためのピン孔（３９ａ，３９ｂ）が設けられている。
【００２３】
また、図４（１），（２）に示すように、本釣竿嵌合装置の竿受け部３の略Ｖ字状の切れ部（３１，３３，３５）に、竿取付嵌合部１０の嵌合部材２の略Ｖ字状の突出部（２５，２７，２９）を嵌挿させることにより、竿取付嵌合部１０を取り付けた釣竿が左右にがたつく事象を防止できることになる。
【００２４】
また、図５に示すように、釣竿５の基端部には、竿挟持部材固定部６と竿挟持部材７がネジ（８ａ，８ｂ）によって取り付けられている。竿挟持部材７側には、ネジ孔（７１ａ，７１ｂ）が設けられ、竿挟持部材固定部６をネジ（８ａ，８ｂ）とナット（８１ａ，８１ｂ）で取り付けている。
なお、図５（１）は、竿挟持部材固定部６と竿挟持部材７がネジ（８ａ，８ｂ）によって取り付けられる様子の正面図であり、図５（２）は竿挟持部材固定部６と竿挟持部材７がネジ（８ａ，８ｂ）によって取り付けられる様子の斜視図である。
【００２５】
次に、図６を参照して、実施例１の釣竿固定装置の基体部を説明する。基体部は船縁等に取り付け固定されるものである。図６に示すように、基体部本体９１には、基体部継ぎ部材９２がピン９５によって挿着されている。また、基体部継ぎ部材９２には、基体部本体挟持部材９３がピン９６ｃによって挿着されている。そして、基体部本体挟持部材９３には、クランプ９４が取り付けられており、このクランプ９４の上端部と基体部本体９１とで、船縁等を挟み込んで、釣竿固定装置の基体部９を船縁等に固定する。
クランプ９４の上端部と基体部本体９１との間隔幅を広範囲に調整できるようにするために、基体部継ぎ部材９２の左右両辺には所定の間隔で複数のピン孔（９６ａ〜９６ｃ）が設けられている。
【００２６】
（他の実施例）
（１）上述の実施例１では、竿受け部３の上端部には略Ｖ字状の切れ部が凹設されているが、嵌合部材２の略Ｖ字状の突出部が嵌挿できるものであればよい。図７に竿受け部の切れ部のバリエーションを示す。図７（１）はＶ字状の切れ部が凹設されたものの断面図を示している。図７（２）はＶ字状の底の幅が大きい切れ部が凹設されたものの断面図を示している。また、図７（３）は竿受け部３の方形平板の厚みがあるものに対してＶ字状の切れ部が凹設されたものの断面図を示している。
【００２７】
（２）上述の実施例１では、竿取付嵌合部の下部の嵌合部材２は、略Ｖ字状の突出部が下方に凸設されているが、竿受け部の切れ部のテーパー状の側縁に嵌挿できるものであればよい。図８に竿取付嵌合部の下部の嵌合部材のバリエーションを示す。図８（１）は略Ｖ字状の突出部が下方に凸設されているものの断面図を示している。また、図８（２）は略Ｕ字状の突出部が下方に凸設されているものの断面図を示している。
【符号の説明】
【００２８】
１  嵌合部材固定部
２  嵌合部材
３  竿受け部
４ａ，４ｂ  ネジ
５  釣竿
６  竿挟持部材固定部
７  竿挟持部材
８ａ，８ｂ  ネジ
９  基体部
１０  竿取付嵌合部
２０  竿挟持部
【図１】
0003156136.tif 000003
【図２】
0003156136.tif 000004
【図３】
0003156136.tif 000005
【図４】
0003156136.tif 000006
【図５】
0003156136.tif 000007
【図６】
0003156136.tif 000008
【図７】
0003156136.tif 000009
【図８】
0003156136.tif 000010